(57)【要約】【課題】フィーダハウスの内側で穀稈が絡み付くのを防止して刈取・脱穀作業を効率良く行うことができるコンバインを提供する。【解決手段】第１回転体（１２）を回転可能に支持する支軸（１１）の両側部を、枠体（１０）の側壁（１０Ａ，１０Ｂ）の内側に配置された支持アーム（２０Ａ，２０Ｂ）の前部に固定し、支持アーム（２０Ａ，２０Ｂ）を、連結ピン（２２Ａ，２２Ｂ）を介して、側壁（１０Ａ，１０Ｂ）の外側に配置された回転アーム（２１Ａ，２１Ｂ）の中間部に連結し、連結ピン（２２Ａ，２２Ｂ）の両端部位と枠体（１０）の上部に設けられたブラケット（３０Ａ，３０Ｂ）を、ロッド（２９Ａ，２９Ｂ）で連結し、ロッド（２９Ａ，２９Ｂ）に、付勢手段（３３Ａ，３３Ｂ）を外嵌し、側壁（１０Ａ，１０Ｂ）における連結ピン（２２Ａ，２２Ｂ）が挿通する部位に、連結ピン（２２Ａ，２２Ｂ）径よりも大きな径を有する開口部を形成した。【選択図】図２
2020014486.tif 000002
【特許請求の範囲】
【請求項１】
掻込装置（３Ａ）によって収穫された穀稈を脱穀装置（４）に搬送するフィーダハウス（３Ｄ）を備えるコンバインにおいて、
前記フィードハウス（３Ｄ）の枠体（１０）の内側の前部に第１回転体（１２）を設け、該枠体（１０）の内側の後部に第２回転体（１４）を設け、前記第１回転体（１２）と第２回転体（１４）に左右一対のチェン（１５）を巻回してコンベア（１８）を形成し、
前記第１回転体（１２）を回転可能に支持する左右方向に延在する支軸（１１）の両側部を、前記枠体（１０）の側壁（１０Ａ，１０Ｂ）の内側に配置された前後方向に延在する支持アーム（２０Ａ，２０Ｂ）の前部に固定し、
前記支持アーム（２０Ａ，２０Ｂ）を、左右方向に延在する連結ピン（２２Ａ，２２Ｂ）を介して、前記側壁（１０Ａ，１０Ｂ）の外側に配置された前後方向に延在する回転アーム（２１Ａ，２１Ｂ）の中間部に連結し、
前記連結ピン（２２Ａ，２２Ｂ）における側壁（１０Ａ，１０Ｂ）から外側に延出した部位と枠体（１０）の上部に設けられたブラケット（３０Ａ，３０Ｂ）を、上下方向に延在するロッド（２９Ａ，２９Ｂ）で連結し、
前記連結ピン（２２Ａ，２２Ｂ）における側壁（１０Ａ，１０Ｂ）から外側に延出した部位と側壁（１０Ａ，１０Ｂ）の中間部に外側に向けて突設された固定ピン（２６Ａ，２６Ｂ）を、位置調整手段（２５Ａ，２５Ｂ）で連結し、
前記ロッド（２９Ａ，２９Ｂ）に付勢手段（３３Ａ，３３Ｂ）を外嵌し、
前記側壁（１０Ａ，１０Ｂ）における連結ピン（２２Ａ，２２Ｂ）が挿通する部位に、
前記連結ピン（２２Ａ，２２Ｂ）径よりも大きな径を有する開口部を形成したことを特徴とするコンバイン。
【請求項２】
前記支持アーム（２０Ａ，２０Ｂ）を側壁（１０Ａ，１０Ｂ）の内側に近接して設け、
前記回転アーム（２１Ａ，２１Ｂ）を側壁（１０Ａ，１０Ｂ）の外側に近接して設けた請求項１記載のコンバイン。
【請求項３】
前記連結ピン（２２Ａ，２２Ｂ）を前後方向に所定の間隔を隔てて少なくとも２本以上設け、前記支持アーム（２０Ａ，２０Ｂ）を、前記回転アーム（２１Ａ，２１Ｂ）の中間部と後部に連結した請求項１又は２記載のコンバイン。
【請求項４】
前記ロッド（２９Ａ，２９Ｂ）におけるブラケット（３０Ａ，３０Ｂ）よりも上側に延出した部位を左右方向に延在する連結部材（３５）で連結した請求項１〜３のいずれか１項に記載のコンバイン。
【請求項５】
前記付勢手段（３３Ａ）のバネ係数と、前記付勢手段（３３Ｂ）のバネ係数を相違させた請求項１〜４のいずれか１項に記載のコンバイン。
【発明の詳細な説明】
【技術分野】
【０００１】
本発明は、収穫された穀稈を脱穀装置に搬送するフィーダハウスを備えたコンバインに関するものである。
【背景技術】
【０００２】
従来のフィーダハウスでは、フィーダハウスの前側に配置された回転体を、搬送される穀稈量に応じて上下方向に揺動させる技術が知られている。（特許文献１）
【先行技術文献】
【特許文献】
【０００３】
【特許文献１】特開２０１２−２１０１６４号公報
【発明の概要】
【発明が解決しようとする課題】
【０００４】
しかし、特許文献１に開示された技術では、フィーダハウスの内側における回転体の後方に回転体を上下方向に揺動させる左右方向に延在する支軸が設けられているので、この支軸に絡み付いた穀稈を取除くために刈取・脱穀作業を頻繁に中断する恐れがあった。
【０００５】
そこで、本発明の課題は、フィーダハウスの内側で穀稈が絡み付くのを防止して刈取・脱穀作業を効率良く行うことができるコンバインを提供することにある。
【課題を解決するための手段】
【０００６】
上記課題を解決した本発明は次記のとおりである。
【０００７】
請求項１に係る発明は、掻込装置（３Ａ）によって収穫された穀稈を脱穀装置（４）に搬送するフィーダハウス（３Ｄ）を備えるコンバインにおいて、
前記フィードハウス（３Ｄ）の枠体（１０）の内側の前部に第１回転体（１２）を設け、該枠体（１０）の内側の後部に第２回転体（１４）を設け、前記第１回転体（１２）と第２回転体（１４）に左右一対のチェン（１５）を巻回してコンベア（１８）を形成し、
前記第１回転体（１２）を回転可能に支持する左右方向に延在する支軸（１１）の両側部を、前記枠体（１０）の側壁（１０Ａ，１０Ｂ）の内側に配置された前後方向に延在する支持アーム（２０Ａ，２０Ｂ）の前部に固定し、前記支持アーム（２０Ａ，２０Ｂ）を、左右方向に延在する連結ピン（２２Ａ，２２Ｂ）を介して、前記側壁（１０Ａ，１０Ｂ）の外側に配置された前後方向に延在する回転アーム（２１Ａ，２１Ｂ）の中間部に連結し、前記連結ピン（２２Ａ，２２Ｂ）における側壁（１０Ａ，１０Ｂ）から外側に延出した部位と枠体（１０）の上部に設けられたブラケット（３０Ａ，３０Ｂ）を、上下方向に延在するロッド（２９Ａ，２９Ｂ）で連結し、前記連結ピン（２２Ａ，２２Ｂ）における側壁（１０Ａ，１０Ｂ）から外側に延出した部位と側壁（１０Ａ，１０Ｂ）の中間部に外側に向けて突設された固定ピン（２６Ａ，２６Ｂ）を、位置調整手段（２５Ａ，２５Ｂ）で連結し、前記ロッド（２９Ａ，２９Ｂ）に付勢手段（３３Ａ，３３Ｂ）を外嵌し、前記側壁（１０Ａ，１０Ｂ）における連結ピン（２２Ａ，２２Ｂ）が挿通する部位に、前記連結ピン（２２Ａ，２２Ｂ）径よりも大きな径を有する開口部を形成したことを特徴とするコンバインである。
【０００８】
請求項２に係る発明は、前記支持アーム（２０Ａ，２０Ｂ）を側壁（１０Ａ，１０Ｂ）の内側に近接して設け、前記回転アーム（２１Ａ，２１Ｂ）を側壁（１０Ａ，１０Ｂ）の外側に近接して設けた請求項１記載のコンバインである。
【０００９】
請求項３に係る発明は、前記連結ピン（２２Ａ，２２Ｂ）を前後方向に所定の間隔を隔てて少なくとも２本以上設け、前記支持アーム（２０Ａ，２０Ｂ）を、前記回転アーム（２１Ａ，２１Ｂ）の中間部と後部に連結した請求項１又は２記載のコンバインである。
【００１０】
請求項４に係る発明は、前記ロッド（２９Ａ，２９Ｂ）におけるブラケット（３０Ａ，３０Ｂ）よりも上側に延出した部位を左右方向に延在する連結部材（３５）で連結した請求項１〜３のいずれか１項に記載のコンバインである。  
【００１１】
請求項５に係る発明は、前記付勢手段（３３Ａ）のバネ係数と、前記付勢手段（３３Ｂ）のバネ係数を相違させた請求項１〜４のいずれか１項に記載のコンバインである。  
【発明の効果】
【００１２】
請求項１記載の発明によれば、枠体１０の内側を後方に向かって搬送される穀稈が、第１回転体１２の後方で絡み付いて滞留するのを防止して、刈取・脱穀作業を効率良く行うことができる。
【００１３】
請求項２記載の発明によれば、請求項１記載の発明の効果に加えて、支持アーム２０Ａ，２０Ｂと回動アーム２１Ａ，２１Ｂの剛性が高まり、支持アーム２０Ａ，２０Ｂと回動アーム２１Ａ，２１Ｂの変形が抑制され、支持アーム２０Ａ，２０Ｂと回動アーム２１Ａ，２１Ｂへの穀稈の絡み付きを防止することができる。
【００１４】
請求項３記載の発明によれば、請求項１又は２記載の発明の効果に加えて、支持アーム２０Ａ，２０Ｂと回動アーム２１Ａ，２１Ｂの剛性がより高まり、支持アーム２０Ａ，２０Ｂと回動アーム２１Ａ，２１Ｂの変形がより抑制され、支持アーム２０Ａ，２０Ｂと回動アーム２１Ａ，２１Ｂへの穀稈の絡み付きをより防止することができる。
【００１５】
請求項４記載の発明によれば、請求項１〜３のいずれか１項に記載の発明の効果に加えて、第１回転体１２の上下方向の傾きを抑制して、穀稈を効率良く後方に搬送することができる。
【００１６】
請求項５記載の発明によれば、請求項１〜４のいずれか１項に記載の発明の効果に加えて、フィードハウス３Ｄの左側部と右側部に異なった量の穀稈が搬送された場合でも第１回転体１２の上下方向の傾きをより抑制することができる。
【図面の簡単な説明】
【００１７】
【図１】コンバインを縦方向に断面した左側面図である。
【図２】間隔調整装置の正面図である。
【図３】間隔調整装置の平面図である。
【図４】間隔調整装置の左側面図である。
【図５】フィーダハウスの左壁を省略した間隔調整装置の左側面図である。
【図６】掻込装置の掻込リールの正面図である。
【図７】掻込装置の掻込リールに装着されるタインの（ａ）は左側面図、（ｂ）は変形
【図８】オーガ装置の回転体の（ａ）は正面図、（ｂ）は左側面図である。時の左側面図である。
【発明を実施するための形態】
【００１８】
図１に示すように、汎用コンバインは、機体フレーム１の下側に土壌面を走行する左右一対のクローラからなる走行装置２が設けられ、機体フレーム１の前側に圃場の穀稈を収穫する刈取前処理装置３が設けられ、刈取前処理装置３の後方左側に収穫された穀稈を脱穀・選別処理する脱穀装置４が設けられ、刈取前処理装置３の後方右側に操縦者が搭乗する操縦部５が設けられている。
【００１９】
操縦部５の下部には、エンジンＥが設けられ、操縦部５の後側には、脱穀・選別処理された穀粒を貯留するグレンタンク６が設けられ、グレンタンク６の後側には、穀粒を外部に排出する排出筒７が設けられている。排出筒７は、グレンタンク６の下部に連通され上下方向に延在する縦排出筒と、縦排出筒の上部に連通され前後方向に延在する横排出筒から形成されている。
【００２０】
刈取前処理装置３は、圃場の穀稈を起立させながら掻込んで後方に搬送する掻込装置３Ａと、後方に搬送された穀稈の株元を切断する刈刃装置３Ｂと、後方に搬送された穀稈を左側に寄せ集めるオーガ装置３Ｃと、寄せ集められた穀稈を脱穀装置４に搬送するフィーダハウス３Ｄから構成されている。
【００２１】
＜フィーダハウス＞
フィーダハウス３Ｄは、縦方向の断面が略四角形に形成された筒状の枠体１０の内側に枠体１０の前部に設けられた左右方向に延在する支軸１１に回転自在に支持された回転体（請求項における「第１回転体」）１２と、枠体１０の後部に設けられた左右方向に延在する回転軸１３に固定された回転体（請求項における「第２回転体」）１４と、回転体１２に設けられた左右一対のスプロケットと回転体１４に設けられた左右一対のスプロケットに巻付けられた左右一対のチェン１５から構成されるコンベア１８が形成されている。
【００２２】
回転軸１３には、エンジンＥの出力回転が伝動され、左右一対のチェン１５には、前後方向に所定の間隔を隔てて穀稈を後方に搬送するスラット１６が架設されている。
【００２３】
図２〜５に示すように、支軸１１の左部は、枠体１０の左壁（請求項における「側壁」）１０Ａの右側に隣接して設けられた、すなわち、枠体１０の内周部に設けられた前後方向に延在する平鋼からなる支持アーム２０Ａの前部に固定され、支軸１１の右部は、枠体１０の右壁（請求項における「側壁」）１０Ｂの左側に隣接して設けられた、すなわち、枠体１０の内周部に設けられた前後方向に延在する平鋼からなる支持アーム２０Ｂの前部に固定されている。
【００２４】
回転軸１３の左部は、枠体１０の左壁１０Ａに回転自在に支持され、回転軸１３の右部は、枠体１０の右壁１０Ｂに回転自在に支持されている。
【００２５】
支持アーム２０Ａは、枠体１０の左壁１０Ａの左側に隣接して設けられた、すなわち、枠体１０の外周部に設けられた前後方向に延在するアングル鋼からなる回動アーム２１Ａの後部に左右方向に延在する丸鋼からなる連結ピン２２Ａを介して連結されている。また、枠体１０の左壁１０Ａには、連結ピン２２Ａが挿通する開口部が形成されている。なお、開口部の径は、連結ピン２２Ａの径よりも大径に形成されている。
【００２６】
同様に、支持アーム２０Ｂは、枠体１０の右壁１０Ｂの右側に隣接して設けられた、すなわち、枠体１０の外周部に設けられた前後方向に延在するアングル鋼からなる回動アーム２１Ｂの後部に左右方向に延在する丸鋼からなる連結ピン２２Ｂを介して連結されている。また、枠体１０の右壁１０Ｂには、連結ピン２２Ｂが挿通する開口部が形成されている。なお、開口部の径は、連結ピン２２Ｂの径よりも大径に形成されている。
【００２７】
これにより、回転体１２の後方に配置される部材をなくすことができ、回転体１２の後方の後方での穀稈の絡み付きを防止して、穀稈を脱穀装置４に効率良く搬送することができる。また、オーガ装置３Ｃから所定以上の穀稈が搬送された場合には、回転体１２が上方に移動して回転体１２の下方に滞留する穀稈を少なくすることができる。
【００２８】
支持アーム２０Ａと回動アーム２１Ａは、前後方向に所定の間隔を隔てて設けられた３本の連結ピン２２Ａによって連結されている。また、最も前側に配置された連結ピン２２Ａは、左側から順に後述する回動アーム２４Ａ、回動アーム２１Ａ、及び支持アーム２０Ａを連結している。
【００２９】
同様に、支持アーム２０Ｂと回動アーム２１Ｂは、前後方向に所定の間隔を隔てて設けられた３本の連結ピン２２Ｂによって連結されている。また、最も前側に配置された連結ピン２２Ｂは、右側から順に後述する回動アーム２４Ｂ、回動アーム２１Ｂ、及び支持アーム２０Ｂを連結している。
【００３０】
これにより、支持アーム２０Ａと回動アーム２１Ａ、並び支持アーム２０Ｂと回動アーム２１Ｂを強固に連結して、支持アーム２０Ａ，２０Ｂと回動アーム２１Ａ，２１Ｂの変形を防止することができる。
【００３１】
回動アーム２１Ａの上面には、上下方向に延在するチャンネル鋼からなる回動アーム２４Ａが固定されている。また、回動アーム２４Ａの後部には、前後方向に延在する位置調整手段２５Ａの前部が連結されている。位置調整手段２５Ａの後部は、枠体１０の左壁１０Ａに設けられた左右方向に延在して設けられた固定ピン２６Ａに回転自在に支持され、位置調整手段２５Ａの前側部には、ネジ部が形成され、ネジ部には２個のナット２７Ａが装着されている。
【００３２】
同様に、回動アーム２１Ｂの上面には、上下方向に延在するチャンネル鋼からなる回動アーム２４Ｂが固定されている。また、回動アーム２４Ｂの後部には、前後方向に延在する位置調整手段２５Ｂの前部が連結されている。位置調整手段２５Ｂの後部は、枠体１０の右壁１０Ｂに設けられた左右方向に延在して設けられた固定ピン２６Ｂに回転自在に支持され、位置調整手段２５Ｂの前側部には、ネジ部が形成され、ネジ部には２個のナット２７Ｂが装着されている。
【００３３】
これにより、位置調整手段２５Ａ，２５Ｂを操作して回転体１２の前後方向の傾きを抑制することができる。
【００３４】
回動アーム２４Ａの上部には、左右方向に延在する支軸が設けられ、支軸には、上下方向に延在する丸鋼からなるロッド２９Ａの下部が回転自在に支持されている。また、ロッド２９Ａの上部は、枠体１０の上壁１０Ｃの左部に設けられたブラケット３０Ａに形成された開口部を挿通している。
【００３５】
ロッド２９Ａには、円形に形成された板状のプレート３２Ａと、その上側に所定のバネ係数を有するスプリング（請求項における「付勢手段」）３３Ａが装着されている。また、ロッド２９Ａの下側部には、ネジ部が形成され、ネジ部には２個のナット３４Ａが装着されている。
【００３６】
同様に、回動アーム２４Ｂの上部には、左右方向に延在する支軸が設けられ、支軸には、上下方向に延在する丸鋼からなるロッド２９Ｂの下部が回転自在に支持されている。また、ロッド２９Ｂの上部は、枠体１０の上壁１０Ｃの右部に設けられたブラケット３０Ｂに形成された開口部を挿通している。
【００３７】
ロッド２９Ｂには、円形に形成された板状のプレート３２Ｂと、その上側に所定のバネ係数を有するスプリング（請求項における「付勢手段」）３３Ｂが装着されている。また、ロッド２９Ｂの下側部には、ネジ部が形成され、ネジ部には２個のナット３４Ｂが装着されている。
【００３８】
これにより、枠体１０の左側に配置されたスプリング３３Ａと枠体１０の右側に配置されたスプリング３３Ｂの自然長から圧縮された長さをそれぞれ調整することができ、回転体１２の上下方向の傾きを抑制することができる。
【００３９】
なお、本実施形態では、枠体１０の左側に配置されたスプリング３３Ａよりも枠体１０の右側に配置されたスプリング３３Ａのバネ係数を小さくしている。
【００４０】
これにより、オーガ装置３Ｃから多くの穀稈が搬送されてくる回転体１２を上方に容易に移動させて回転体１２の下側に滞留する穀稈を少なくすることができる。
【００４１】
回動アーム２４Ａにおけるブラケット３０Ａよりも上方に延出する部位と回動アーム２４Ｂにおけるブラケット３０Ｂよりも上方に延出する部位は、左右方向に延在するチャンネル鋼からなる連結部材３５で連結されている。
【００４２】
これにより、回転体１２の上下方向の傾きをより抑制して、穀稈を脱穀装置４により効率良く搬送することができる。
【００４３】
また、支軸１１の左部が固定された支持アーム２０Ａの後部と支軸１１の右部が固定された支持アーム２０Ｂの後部を左右方向に延在するチャンネル鋼からなる連結部材（図示省略）で連結することもできる。
【００４４】
これにより、回動アーム２４Ａと回動アーム２４Ｂを連結部材３５でのみ連結した場合と比較して回転体１２の上下方向の傾きをより抑制でき、穀稈を脱穀装置４により効率良く搬送することができる。
【００４５】
図１に示すように、枠体１０の上壁１０Ｃの前部に前下がりに形成された平鋼からなる案内板３８が設けられている。これにより、チェン１５に絡み付いて持ち回された穀稈を回転体１２の下方に効率良く落下させることができる。
【００４６】
回動アーム２１Ａの前部の固定ピン２６Ａを中心とする上方への移動変位量を測定するセンサ（図示省略）と、回動アーム２１Ｂの前部の固定ピン２６Ｂを中心とする上方への移動変位量を測定するセンサ（図示省略）が設け、これらのセンサによって測定された移動変位量が設定値を超えた場合には、操縦部５に設けられた警報機を鳴らして作業者に異常を知らせるのが好ましい。これにより、チェン１５に過大な張力が加わるのを防止して、チェン１５の破断を防止することができる。
【００４７】
回転体１２の円筒形状に形成された筒部の加わる外力を測定する歪ゲージ等のセンサ（図示省略）を設け、これらのセンサによって測定された外力が設定値を超えた場合には、操縦部５に設けられた警報機を鳴らして作業者に異常を知らせるのが好ましい。これにより、回転体１２の筒部に過大な外力が加わるのを防止して、回転体１２の筒部の変形を防止することができる。
【００４８】
＜掻込装置＞
次に、掻込装置３Ａの掻込リール５０について説明する。図６に示すように、掻込リール５０の左部には、回転軸５１に基部が固定された支持アーム５２Ａが設けられ、掻込リール５０の右部には、回転軸５１に基部が固定された支持アーム５２Ｂが設けられている。
【００４９】
掻込リール５０の各頂部には、左側の支持アーム５２Ａと右側の支持アーム５２Ｂに架設されている左右方向に延在する丸鋼からなるタイン支持部５３が設けられいる。また、タイン支持部５３には、左右方向に所定の間隔を隔てて樹脂製のタイン５４が装着されている。
【００５０】
正面視で、タイン支持部５３におけるフィーダハウス３Ｄの前方を移動するタイン支持部５３の左側部位に装着されたタイン５４は、タイン５４の上部よりもタイン５４の下部が右側位置するように下方右側に向けて延在する姿勢で装着されている。これにより、掻込装置３Ａからオーガ装置３Ｃに搬送された穀稈が、オーガ装置３Ｃの掻込みオーガ６０に絡み付くのを抑制することができる。
【００５１】
次に、タイン５４について説明する。図７（ａ）に示すように、タイン５４の上部には、タイン支持部５３に装着するボルト等を挿通する開口部５５と、タイン支持部５３に係合する係合溝５６が形成されている。また、係合溝５６の下側には、後部が狭く、前部が広い切欠部５７が形成されている。これにより、図７（ｂ）に示すように、タイン５４に圃場の穀稈から大きな外力が加わった場合には、タイン５４が切欠部５７の前側部を中心にして後方に折曲がり、また、タイン５４が所定以上に後方に折曲がった場合には、切欠部５７の後部が衝突して後方への折曲がりを規制してタイン５４の破損を防止することができる。
【００５２】
回転軸５１には、エンジンＥの出力回転の回転数が変速ギヤ（図示省略）で増減速されて伝動される。増減速の切換作業を容易に行うために、これらの変速ギヤのボス部の径は、同一径に形成されている。
【００５３】
＜オーガ装置＞
次に、オーガ装置３Ｃの掻込みオーガ６０について説明する。図８（ａ）に示すように、掻込みオーガ６０は、オーガフレーム６１の左壁と右壁に架設された左右方向に延在する回転軸６２に固定されている。
【００５４】
掻込みオーガ６０の外周部の右側部には、掻込装置３Ａから搬送されてきた穀稈をフィーダハウス３Ｄの連通口の前方に位置する掻込みオーガ６０の外周部の左側部に移動させる搬送螺旋６３が設けられ、掻込みオーガ６０の外周部の左側部には、左側部に移動してきた穀稈をフィーダハウス３Ｄに搬送する左右方向に所定の間隔を隔てて出没自在な掻込みフィンガ６４が設けられている。
【００５５】
図８（ｂ）に示すように、オーガフレーム６１の底壁における掻込みフィンガ６４が通過する部位の近傍には、穀稈を切断する切刃６５が設けられている。なお、オーガフレーム６１の底壁は、下方に凸部を有する緩やかな円弧状に形成されている。これにより、穀稈の長い茎を切断して、穀稈をフィーダハウス３Ｄに効率良く搬送することができる。
【００５６】
エンジンＥの出力回転は、図示を省略した刈取クラッチ、脱穀クラッチ、及び排出クラッチを介して刈取前処理装置３、脱穀装置４、及びグレンタンク６に伝動される。これらの刈取クラッチ等は、駆動プーリ、ベルト、及び受動プーリで構成され、駆動プーリは、外輪部と内輪部の間に、ブレーキ手段が設けられている。これにより、駆動プーリと受動プーリに巻回されたベルトに過度な張力が加わるのを防止してベルトの破断を防止することができる。
【符号の説明】
【００５７】
３Ａ      掻込装置
３Ｄ      フィーダハウス
４        脱穀装置
１０      枠体
１０Ａ    左壁（側壁）
１０Ｂ    右壁（側壁）
１０Ｃ    上壁
１１      支軸
１２      回転体（第１回転体）
１４      回転体（第２回転体）
１５      チェン
１８      コンベア
２０Ａ    支持アーム
２０Ｂ    支持アーム
２１Ａ    回動アーム
２１Ｂ    回動アーム
２２Ａ    連結ピン
２２Ｂ    連結ピン
２５Ａ    位置調整手段
２５Ｂ    位置調整手段
２６Ａ    固定ピン
２６Ｂ    固定ピン
２９Ａ    ロッド
２９Ｂ    ロッド
３０Ａ    ブラケット
３０Ｂ    ブラケット
３３Ａ    スプリング（付勢手段）
３３Ｂ    スプリング（付勢手段）
３５      連結部材
【図１】
2020014486.tif 000003
【図２】
2020014486.tif 000004
【図３】
2020014486.tif 000005
【図４】
2020014486.tif 000006
【図５】
2020014486.tif 000007
【図６】
2020014486.tif 000008
【図７】
2020014486.tif 000009
【図８】
2020014486.tif 000010